(57)【要約】【課題】小児や高齢者等の弱握力者の握力を精度良く測定することができると共に、メンテナンスが容易で、被測定者の握力測定意欲を向上させることができる握力測定装置の提供を課題とする。【解決手段】握力値を検出する握力計１００と、握力計１００で検出される握力値を演算、制御する演算制御手段２００とから構成される握力測定装置１であって、握力計１００は、一定の間隔をもって並行に対向配置される一対の棒状部材からなるグリップ部１１０と、グリップ部１１０を構成する一対の棒状部材を連結する連結部１２０とから構成されると共に、連結部１２０に握力を測定するための歪みゲージ１３０を備えている。【選択図】      図１
2011104107.tif 000002
【特許請求の範囲】
【請求項１】
握力値を検出する握力計と、該握力計で検出される握力値を演算、制御する演算制御手段とから構成される握力測定装置であって、前記握力計は、一定の間隔をもって並行に対向配置される一対の棒状部材からなるグリップ部と、該グリップ部を構成する一対の棒状部材を連結する連結部とから構成されると共に、該連結部に握力を測定するための歪みゲージを備えていることを特徴とする握力測定装置。
【請求項２】
連結部は、Ｕ字形状をなした一対の弾性体を互いに逆向きに対向配置してなり、前記Ｕ字形状の湾曲部の内面及び外面に歪みゲージを備えていることを特徴とする請求項１に記載の握力測定装置。
【請求項３】
グリップ部は、一対の棒状部材が対向配置される面に連結部を取り付けるための取り付け着座部を備えていることを特徴とする請求項１又は２に記載の握力測定装置。
【請求項４】
グリップ部は、歪みゲージに接続された配線を収納するための配線収納部を備えると共に、該配線収納部の端部に歪みゲージに接続された配線を握力計の外部へと引き出すための配線引き出し溝を備えていることを特徴とする請求項１〜３の何れか１項に記載の握力測定装置。
【請求項５】
演算制御手段で演算、制御される握力値を表示するための表示手段を設けていることを特徴とする請求項１〜４の何れか１項に記載の握力測定装置。
【請求項６】
表示手段は、少なくとも表示手段を制御する制御部と、演算制御手段で演算、制御された握力値を表示する表示部とから構成されると共に、前記制御部は、演算制御手段で演算、制御された握力値が予め設定された握力値以上である場合に特定の認識表示の出力を前記表示部に対して行うことを特徴とする請求項５に記載の握力測定装置。
【発明の詳細な説明】
【技術分野】
【０００１】
本発明は、小児や高齢者等の弱握力者の握力を精度良く測定することができる握力測定装置に関する。
【背景技術】
【０００２】
従来、握力測定装置としては、圧電素子を圧力センサとして用いるものがあった。このような握力測定装置においては、握力を検出する検出素子を圧電素子としているので、低領域の握力の測定は誤差が大きく測定しにくいという問題点があった。
低領域の握力を正確に測定できる技術として、例えば下記特許文献１がある。
下記特許文献１は、握力計に関する発明で、患者が発揮する低領域での握力が正確に測定できる技術が開示されている。
【先行技術文献】
【特許文献】
【０００３】
【特許文献１】実用新案登録第２５５６３０７号公報
【発明の概要】
【発明が解決しようとする課題】
【０００４】
上記特許文献１においては、加圧側握り部１ａの両端にそれぞれ支柱６が突出され、受圧側握り部１ｂの中央に固定部７が形成され、該固定部７に左側片持ち梁２ａの右端と右側片持ち梁２ｂの左端が止着され、支柱６が左側片持ち梁２ａの左端と右側片持ち梁２ｂの右端に連結されているという構成であることから、２個の握り部１上において、患者の握る位置が偏った位置であっても、力の作用効率が悪くなるようなことにはならず、患者の発揮する低領域の握力が正確に測定できるメリットがある。
しかしながら、加圧側握り部１ａと受圧側握り部１ｂとを連結すると共に、撓み検出手段となる部材が片持ち梁２、支柱６、固定部７、加圧具８等の多部材で構成されていることから、依然として低領域での握力を精度良く測定することが困難であるという問題があった。
また加圧具８や片持ち梁２等を全て握り部１の外部にむき出し状態で配置する構成であることから、使用時及び保管時に各部に埃等のごみが溜まり易く、メンテナンスが困難であるという問題があった。
【０００５】
そこで本発明は上記従来における問題点を解決し、小児や高齢者等の弱握力者の握力を精度良く測定することができると共に、メンテナンスが容易で、被測定者の握力測定意欲を向上させることができる握力測定装置の提供を課題とする。
【課題を解決するための手段】
【０００６】
本発明の握力測定装置は、握力値を検出する握力計と、該握力計で検出される握力値を演算、制御する演算制御手段とから構成される握力測定装置であって、前記握力計は、一定の間隔をもって並行に対向配置される一対の棒状部材からなるグリップ部と、該グリップ部を構成する一対の棒状部材を連結する連結部とから構成されると共に、該連結部に握力を測定するための歪みゲージを備えていることを第１の特徴としている。
【０００７】
上記本発明の第１の特徴によれば、握力値を検出する握力計と、該握力計で検出される握力値を演算、制御する演算制御手段とから構成される握力測定装置であって、前記握力計は、一定の間隔をもって並行に対向配置される一対の棒状部材からなるグリップ部と、該グリップ部を構成する一対の棒状部材を連結する連結部とから構成されると共に、該連結部に握力を測定するための歪みゲージを備えていることから、グリップ部を握るだけで容易に握力を測定することができる。また歪みゲージを用いることで、小児や高齢者等、弱握力者の握力を精度良く測定することができる。
【０００８】
また本発明の握力測定装置は、上記本発明の第１の特徴に加えて、連結部は、Ｕ字形状をなした一対の弾性体を互いに逆向きに対向配置してなり、前記Ｕ字形状の湾曲部の内面及び外面に歪みゲージを取り付けていることを第２の特徴としている。
【０００９】
上記本発明の第２の特徴によれば、上記本発明の第１の特徴による作用効果に加えて、連結部は、Ｕ字形状をなした一対の弾性体を互いに逆向きに対向配置してなり、前記Ｕ字形状の湾曲部の内面及び外面に歪みゲージを取り付けていることから、Ｕ字形状をなした一対の弾性体からなる連結部の歪みを歪みゲージで精度良く測定することができる。よって測定精度の高い握力測定装置とすることができる。
【００１０】
また本発明の握力測定装置は、上記本発明の第１又は第２の特徴に加えて、グリップ部は、一対の棒状部材が対向配置される面に連結部を取り付けるための取り付け着座部を備えていることを第３の特徴としている。
【００１１】
上記本発明の第３の特徴によれば、上記本発明の第１又は第２の特徴による作用効果に加えて、グリップ部は、一対の棒状部材が対向配置される面に連結部を取り付けるための取り付け着座部を備えていることから、連結部のグリップ部への取り付けを容易且つ確実なものとすることができる。
【００１２】
また本発明の握力測定装置は、上記本発明の第１〜第３の何れか１つの特徴に加えて、グリップ部は、歪みゲージに接続された配線を収納するための配線収納部を備えると共に、該配線収納部の端部に歪みゲージに接続された配線を握力計の外部へと引き出すための配線引き出し溝を備えていることを第４の特徴としている。
【００１３】
上記本発明の第４の特徴によれば、上記本発明の第１〜第３の何れか１つの特徴による作用効果に加えて、グリップ部は、歪みゲージに接続された配線を収納するための配線収納部を備えると共に、該配線収納部の端部に歪みゲージに接続された配線を握力計の外部へと引き出すための配線引き出し溝を備えていることから、歪みゲージに接続された配線をグリップ部に収納することができると共に、握力計の外部へと容易に引き出すことができる。
【００１４】
また本発明の握力測定装置は、上記本発明の第１〜第４の何れか１つの特徴に加えて、演算制御手段で演算、制御される握力値を表示するための表示手段を設けていることを第５の特徴としている。
【００１５】
上記本発明の第５の特徴によれば、上記本発明の第１〜第４の何れか１つの特徴による作用効果に加えて、演算制御手段で演算、制御される握力値を表示するための表示手段を設けていることから、演算制御手段で演算、制御される握力値を表示手段で表示することができ、握力値を容易に認識することができる。
【００１６】
また本発明の握力測定装置は、上記本発明の第５の特徴による作用効果に加えて、表示手段は、少なくとも表示手段を制御する制御部と、演算制御手段で演算、制御された握力値を表示する表示部とから構成されると共に、前記制御部は、演算制御手段で演算、制御された握力値が予め設定された握力値以上である場合に特定の認識表示の出力を前記表示部に対して行うことを第６の特徴としている。
【００１７】
上記本発明の第６の特徴によれば、上記本発明の第５の特徴による作用効果に加えて、表示手段は、少なくとも表示手段を制御する制御部と、演算制御手段で演算、制御された握力値を表示する表示部とから構成されると共に、前記制御部は、演算制御手段で演算、制御された握力値が予め設定された握力値以上である場合に特定の認識表示の出力を前記表示部に対して行うことから、被測定者の握力測定意欲を向上させることができる。
【発明の効果】
【００１８】
本発明の握力測定装置によれば、小児や高齢者等の弱握力者の握力を精度良く測定することができると共に、メンテナンスが容易で、被測定者の握力測定意欲を向上させることができる。
【図面の簡単な説明】
【００１９】
【図１】本発明の実施形態に係る握力測定装置を簡略化して示す正面図である。
【図２】本発明の実施形態に係る握力測定装置を構成する握力計を示す分解図であり、（ａ）は正面図、（ｂ）は左側面図である。
【図３】本発明の実施形態に係る握力測定装置を構成する握力計を示す図であり、（ａ）は平面図、（ｂ）は正面図、（ｃ）は左側面図である。
【図４】本発明の実施形態に係る握力測定装置を構成する握力計の上グリップを示す図であり、（ａ）は斜視図、（ｂ）は底面図である。
【図５】本発明の実施形態に係る握力測定装置を構成する握力計の歪みゲージの配線状態を簡略化して示す上グリップの底面図である。
【図６】本発明の実施形態に係る握力測定装置を構成する演算制御手段の構成を簡略化して示す図である。
【図７】本発明の実施形態に係る握力測定装置を構成する演算制御手段のブリッジ回路の構成を示す図で、（ａ）は具体的な結線図、（ｂ）は模式的な結線図である。
【図８】本発明の実施形態に係る握力測定装置による握力測定の流れを示すフローチャートである。
【図９】本発明の実施形態に係る握力測定装置による握力測定の流れを示すフローチャートである。
【図１０】本発明の実施形態に係る握力測定装置を構成する表示手段による握力値の表示状態を示す図である。
【図１１】本発明の実施形態に係る握力測定装置を構成する表示手段による特定の認識表示の表示状態を示す図である。
【発明を実施するための形態】
【００２０】
以下の図面を参照して、本発明に係る握力測定装置を説明し、本発明の理解に供する。しかし、以下の説明は本発明の特許請求の範囲に記載の発明を限定するものではない。
【００２１】
まず図１を参照して、本発明の握力測定装置１は、握力計１００と、演算制御手段２００と、表示手段３００とから構成される。
【００２２】
前記握力計１００は、握力値を検出するためのものであり、具体的には歪みゲージ１３０の抵抗値の変化を電圧値として演算制御手段２００へ出力するためのものである。この握力計１００は、図１に示すように、グリップ部１１０と、連結部１２０とから構成される。
【００２３】
前記グリップ部１１０は、握力計１００のグリップを構成するものであり、図２、図３に示すように、一定の間隔をもって並行に対向配置される一対の棒状部材である上グリップ１１１と下グリップ１１２とから構成される。
なお図２、図３に示すように、下グリップ１１２は、後述する配線引き出し溝１１１ｅを除き上グリップ１１１と同一形状、同一部材で形成されると共に、同一機能を果たすことから、以下では上グリップ１１１のみを説明し、下グリップ１１２の説明は省略するものとする。
【００２４】
前記上グリップ１１１は、図２〜図４に示すように、長手方向にコ字状の凹部を有する略円柱状の棒状部材からなり、短手方向の両端部に一対の凸部１１１ａを備えている。また一対の棒状部材たる上グリップ１１１と下グリップ１１２とが対向配置される面の長手方向の両端部には、連結部１２０を取り付けるための一対の取り付け着座部１１１ｂを備えている。
この取り付け着座部１１１ｂは、図２（ｂ）、図３（ｃ）、図４に示すように、コ字状の凹部を形成する内壁１１１ｃに対して垂直な略長方形の平面で形成されている。
【００２５】
また図２〜図４に示すように、一対の凸部１１１ａと一対の取り付け着座部１１１ｂとで囲まれる部分には、取り付け着座部１１１ｂと段差をなす凹所を形成し、この凹所を後述する歪みゲージ１３０に接続された配線４００を収納するための配線収納部１１１ｄとしている。更に図４に示すように、配線収納部１１１ｄの端部には、歪みゲージ１３０に接続される配線４００を握力計１００の外部へと引き出すための配線引き出し溝１１１ｅを備えている。この配線引き出し溝１１１ｅは、図２〜図４に示すように、上グリップ１１１に形成される略円柱形状の空洞部であり、略円柱形状の一方が配線収納部１１１ｄ内に配置されると共に、略円柱形状の他方が上グリップ１１１の端面１１１ｆまで開口されている。
【００２６】
また図２に示すように、上グリップ１１１における取り付け着座部１１１ｂに対応する部分には、後述するねじ１２２ａを嵌合させるための貫通孔１１１ｇを備える。更に図２、図３に示すように、貫通孔１１１ｇを形成した上グリップ１１１の表面部分には平面視ねじ１２２ａの頭部と略同一形状でねじ１２２ａの頭部よりもやや大きい窪み１１１ｈを形成している。
【００２７】
なお上グリップ１１１、下グリップ１１２は、アルミ合金で形成されている。樹脂に比べ高い剛性を持つと共に、軽量で、加工性、耐食性を備えたアルミ合金でグリップ部１１０を形成することで、製造が容易で耐久性を備えると共に、被測定者が握り易く、軽量なグリップ部１１０とすることができる。
またアルミ合金としては、例えばＡ５０５２を用いることができる。加工性、表面処理性が高いＡ５０５２を用いることで、一段と製造効率のよいグリップ部１１０とすることができる。
また略円柱状の棒状部材からなる上グリップ１１１、下グリップ１１２の直径は１５ｍｍ程度、長さは１４０ｍｍ程度、重さは１００ｇ程度とすることが望ましい。また上グリップ１１１と下グリップ１１２との距離は３５ｍｍ程度とすることが望ましい。このような構成とすることで、小児においても片手で十分に握ることができ、コンパクトな握力計１００とすることができる。
なお上グリップ１１１、下グリップ１１２の材質は、前記アルミ合金の他、繊維強化プラスチック、マグネシウム合金など、軽量で高い剛性を持つ材料を好ましく用いることができる。
【００２８】
前記連結部１２０は、グリップ部１１０を構成する一対の上グリップ１１１と下グリップ１１２とを連結すると共に、被測定者がグリップ部１１０を握った際に弾性変形を生じさせるためのものである。
この連結部１２０は、図１に示すように、弾性体１２１と、連結具１２２とから構成される。
【００２９】
前記弾性体１２１は、一対の上グリップ１１１と下グリップ１１２との間に配置され、被測定者がグリップ部１１０を握った際に歪みを生じさせるためのものである。
【００３０】
この弾性体１２１は、図２、図３に示すように、正面視Ｕ字形状をなした平板部材からなる弾性変形可能な、いわゆる板ばねで形成され、Ｕ字形状の開口部を端面１１１ｆ側に向けると共に、一対の弾性体１２１が互いに逆向きになるように対向配置される。
より具体的には、図２（ａ）、図３（ｂ）に示すように、グリップ部１１０の左側に配置される左弾性体１２１ａと、グリップ部１１０の右側に配置される右弾性体１２１ｂとが互いに逆向きになるように着座部１１１ｂに対向配置される。また弾性体１２１には、後述するねじ１２２ａを嵌合させるための貫通孔１２１ｃを備えている。
また図２に示すように、弾性体１２１において取り付け着座部１１１ｂとの接合面となる着座面１２１ｄは、内壁１１１ｃに対して垂直な略長方形の平面で形成されている。
【００３１】
更に図２（ａ）、図３（ｂ）に示すように、弾性体１２１の湾曲部の内面及び外面には歪みゲージ１３０を備えている。
より具体的には、図２（ａ）、図３（ｂ）に示すように、左弾性体１２１ａの内面に左内歪みゲージ１３０ａを、左弾性体１２１ａの外面に左外歪みゲージ１３０ｂを備えると共に、右弾性体１２１ｂの内面に右内歪みゲージ１３０ｃを、右弾性体１２１ｂの外面に右外歪みゲージ１３０ｄを備え、一対の弾性体１２１に４つの歪みゲージ１３０を備える構成としている。
【００３２】
この歪みゲージ１３０は、機械的な寸法の微小な変化（歪み）を電気信号として検出するセンサであり、被測定者がグリップ１１０を握ることで生じる弾性体１２１の歪みの程度を抵抗値の変化に変えるものである。
なお、ここで及び以下の説明において、「内面」とはＵ字形状をなす弾性体１２１の湾曲部において開口部に近い側を示し、「外面」とはＵ字形状をなす弾性体１２１の湾曲部において、開口部から遠い側を示すものとする。
【００３３】
なお弾性体１２１としては、ステンレス鋼を用い、厚さは０．５ｍｍ〜２ｍｍ程度、湾曲部の半径は５ｍｍ〜１０ｍｍ程度とし、０ｋｇｆ〜５０ｋｇｆの握力で歪みを生じる構成とすることが望ましい。更に好適には、厚みは０．８ｍｍ〜１．５ｍｍ程度、湾曲部の半径は５ｍｍ〜１０ｍｍ程度、着座面１２１ｄの幅は５ｍｍ〜８ｍｍ程度とし、０ｋｇｆ〜１０ｋｇｆの握力で歪みを生じる構成とすることが望ましい。
前記弾性体１２１としては、ステンレス鋼の他、ベリリウム銅等のバネ弾性に優れた材料を用いることができる。
【００３４】
このような構成とすることで、小児や高齢者等の弱握力者の握力を精度良く測定することができ、治療効果を効果的に評価できる握力測定装置１とすることができる。また加工性、耐食性に優れたステンレス鋼を用いることで、製造が容易で耐久性を備えた弾性体１２１とすることができる。更に弾性変形可能でばね効果を有するステンレス鋼をＵ字形状として弾性体１２１を形成することで、歪み感度の高い弾性体１２１とすることができる。よって測定精度の高い握力計１００とすることができる。
【００３５】
またステンレス鋼としては、例えばオーステナイト系のＳＵＳ３０４を用いることができる。高硬度で高い強度を持つＳＵＳ３０４を用いることで、一段と耐久性を備えた弾性体１２１とすることができる。また歪みゲージ１３０の長手方向の長さは０．５ｍｍ〜２ｍｍ程度、更に好適には１ｍｍ程度とすることが望ましい。
【００３６】
前記連結具１２２は、グリップ部１１０と弾性体１２１とを連結させるためのものであり、図２、図３に示すように、ねじ１２２ａと、留め金具１２２ｂとから構成される。
前記留め金具１２２ｂは、雄ねじたるねじ１２２ａに対応する雌ねじであり、図２、図３に示すように、直方体形状をなしている。
なおねじ１２２ａと留め金具１２２ｂとは、ステンレス鋼で形成することが望ましい。加工性、耐食性に優れたステンレス鋼を用いることで、製造が容易で耐久性を備えたねじ１２２ａ及び留め金具１２２ｂとすることができる。
【００３７】
以上の構成からなる握力計１００は、図２、図３に示すように、一対の棒状部材たる上グリップ１１１と下グリップ１１２とを一定の間隔をもって並行に対向配置させ、弾性体１２１を取り付け着座部１１１ｂに着座させた状態で、ねじ１２２ａを貫通孔１１１ａ、貫通孔１２１ａに貫通させ、止め金具１２２ｂとねじ止めすることで形成される。
このように形成される握力計１００は、以下の効果を有する。
【００３８】
グリップ部１１０に取り付け着座部１１１ｂを設け、取り付け着座部１１１ｂに弾性体１２１を着座させた状態で上グリップ１１１と下グリップ１１２とを連結具１２２で連結する構成とすることで、連結部１２０のグリップ部１１０への取り付けを容易且つ確実なものとすることができる。
【００３９】
また取り付け着座部１１１ｂと着座面１２１ｄとを共に内壁１１１ｃに対して垂直な略長方形の平面とすると共に、留め金具１２２ｂを直方体形状とすることで、着座面１２１ｄを着座部１１１ｂに密着させて連結させることができる。よって上グリップ１１１と下グリップ１１２とを連結部１２０で一段と強固に連結させることができる。
なお、前記取り付け着座部１１１ｂに弾性体１２１を着座させる際に、図示しないスペーサを前記着座部１１１ｂと弾性体１２１との間に着脱可能に介在させた状態でねじ固定するようにすることができる。スペーサを介在させることで、上グリップ１１１と下グリップ１１２との間隙を、被測定者の年齢等に応じて、握り易い寸法に調整することが可能となる。
【００４０】
またステンレス鋼をＵ字形状に形成した一対の弾性体１２１を互いに逆向きに対向配置すると共に、湾曲部の内面及び外面に歪みゲージ１３０を備える構成とすることで、被測定者の握力を精度良く測定することができる。また弾性体１２１を０〜１０ｋｇｆの握力で歪みを生じる構成とすることで、測定単位を１０ｋｇｆとすることができ、精密計測が可能な握力計１００とすることができる。
【００４１】
また配線収納部１１１ｄを備えると共に、配線収納部１１１ｄの端部に配線引き出し溝１１１ｅを設ける構成とすることで、図５に示すように、歪みゲージ１３０に接続された配線４００をグリップ部１１０内に収納することができると共に、握力計１００の外部へと容易に引き出すことができる。よって歪みゲージ１３０に接続される配線４００の接続及び管理を容易なものとすることができる。
【００４２】
更にグリップ部１１０に一対の凸部１１１ａを設けることで、図１、図３（ｂ）に示すように、歪みゲージ１３０に接続され、配線収納部１１１ｄに収納され、握力計１００の外部へと引き出される配線４００や連結部１２０の大部分を握力計１００の内部に配置させることができる。よって使用時及び保管時に各部に埃等のごみが溜まり難く、メンテナンスが容易な握力計１００とすることができる。
【００４３】
また窪み１１１ｈを設ける構成とすることで、ねじ１２２ａの頭部がグリップ部１１０の表面から出っ張ることがない。よって握力計１００を持ち運ぶ際に小児や高齢者等の指を傷つけることを確実に防止することができる。よって安全面に配慮した握力計１００とすることができる。
【００４４】
前記演算制御手段２００は、握力計１００で検出される握力値を演算、制御するためのものであり、具体的には主として握力計１００に備えられる歪みゲージ１３０が検出した抵抗値の変化を電圧に変換すると共に、デジタル値に変換するための、いわゆる歪みゲージ用表示器である。
この演算制御手段２００は、図１、図６に示すように、歪みゲージ１３０を回路要素とするブリッジ回路２１０と、増幅器２２０と、Ａ／Ｄ変換器２３０と、中央処理部２４０と、設定器２５０と、表示パネル２６０と、メモリ２７０とから主として構成され、電源５００と接続される。
【００４５】
前記ブリッジ回路２１０は、歪み測定の基本回路を構成するものであり、図６に簡略化して示すように、４つの歪みゲージ１３０と電気的に接続される。より具体的には、図７に示すように、ブリッジ回路２１０は、ブリッジの四辺を全て歪みゲージで構成する、いわゆる４ゲージ法で形成されている。つまり左内歪みゲージ１３０ａと右内歪みゲージ１３０ｃとが対辺となり、左外歪みゲージ１３０ｂと右外歪みゲージ１３０ｄとが対辺となるように接続され、４つの歪みゲージ１３０の抵抗値の変化を電圧値に変換することで弾性体１２１の歪みが検出される。
【００４６】
このようにブリッジ回路２１０をいわゆる４ゲージ法で形成することで、測定対象の歪みを効率的に電気信号に変換することができると共に、歪みゲージ１３０部分だけでブリッジを完成させることができる。
なお図７においては、ブリッジ回路２１０の構成を分かり易く示すために配線４００を配線引き出し溝１１１ｅから引き出す構成とはしていない。
【００４７】
前記増幅器２２０は、４つの歪みゲージ１３０で検出された電圧値を増幅するためのものである。
【００４８】
前記Ａ／Ｄ変換器２３０は、４つの歪みゲージ１３０で検出された電圧値をデジタル値に変換するためのものである。
【００４９】
前記中央処理部２４０は、演算制御手段２００を統括する部であり、設定器２５０と合わさってＡ／Ｄ変換器２３０により変換されたデジタル値を握力値に変換するためのものである。
【００５０】
前記表示パネル２６０は、中央処理部２４０及び設定器２５０により変換された握力値を表示するためのパネルである。
【００５１】
前記メモリ２７０は、中央処理部２４０及び設定器２５０により変換された握力値を演算制御手段２００内に保存させるためのものである。
【００５２】
前記表示手段３００は、演算制御手段２００で演算、制御される握力値を表示するためのものであり、具体的には図１に示すように、電源５００と接続され、ケーブル６００を介して演算制御手段２００とデジタル通信を行い、主として演算制御手段２００で演算、制御される握力値を表示するための、いわゆる一般的なコンピュータである。
この表示手段３００は、ＣＰＵ等を内蔵し表示手段３００を制御、統括する制御部３１０と、演算制御手段２００で演算、制御された握力値を表示する液晶ディスプレイ等からなる表示部３２０と、各種の入力を行うキーボード等からなる入力部３３０とから主として構成され、制御部３１０には握力値の表示と管理とを行うことができる図示しないソフト（例えばＶｉｓｕａｌ  Ｂａｓｉｃ等）が内蔵されている。またこのソフトには、演算制御手段２００で演算、制御された握力値が予め設定された握力値以上である場合に、特定の認識表示の出力を表示部３２０に対して行うプログラムが組み込まれている。
【００５３】
なおケーブル６００としては、例えばＲＣ２３２Ｃケーブルを用いることができる。ＲＣ２３２Ｃケーブルとすることで、演算制御手段２００と表示手段３００間で中低速のシリアル通信を行うことができる。勿論、ケーブル６００はＲＣ２３２Ｃケーブルに限るものではなく、演算制御手段２００と表示手段３００間でデジタル通信を行うことができるものであれば、他のケーブルを用いる構成であってもよいし、ケーブル６００を用いず無線通信を行う構成であってもよい。
【００５４】
次に図８〜図１２を参照して、本発明に係る握力測定装置１の動作の流れ及び握力値の表示状態を説明する。
【００５５】
まず図８を参照して、被測定者がグリップ部１１０を握ることで歪みゲージ１３０が歪み、歪みゲージ１３０の抵抗値が変化する（ステップＳ７００〜ステップＳ７２０）。
【００５６】
次に変化した抵抗値をブリッジ回路２１０により電圧値に変換する。そして増幅器２２０により電圧値を増幅した後、Ａ／Ｄ変換器２３０によりデジタル値に変換する。そして中央処理部２４０及び設定器２５０によりデジタル値を握力値に変換し、表示パネル２６０に表示する。これと同時にメモリ２７０内に握力値を保存する（ステップＳ７３０〜ステップＳ７７０）。
【００５７】
次に図１０に示す表示部３２０の通信スタートボタン３２１が押されると、演算制御手段２００と表示手段３００とのデジタル通信が開始され、演算制御手段２００で検出された握力値がケーブル６００を介して表示手段３００の制御部３１０に送信される。そして送信された握力値は、制御部３１０に内蔵されるソフトにより通常表示として表示部３２０に表示される（ステップＳ７８０〜ステップＳ７９０）。
【００５８】
より具体的には、図１０に示すように、表示部３２０上の通信スタートボタン３２１をクリックすると受信カウント部３２２がカウントを開始し、握力値が握力値表示部３２３にリアルタイム値及びピーク値等として数値、棒グラフで表示されると共に、時間と握力値との関係グラフとして表示される。勿論、握力値の表示形態はこれらの構成に限るものではなく、適宜変更可能である。
なお測定された握力値は図示しない表示手段３００の記憶部で記憶、管理される。
【００５９】
そして送信された握力値が予め設定された握力値以上であるか否かが判断される（ステップＳ８００）。
送信された握力値が予め設定された握力値未満である場合には、表示部３２０に通常表示が行われ、測定者が制御部３１０に対して測定終了処理を行うことで測定が終了する（ステップＳ８１０）。
送信された握力値が予め設定された握力値以上である場合には、更に握力値に合わせて特定の認識表示の出力が表示部３２０に対して行われ、測定者が制御部３１０に対して測定終了処理を行うことで測定が終了する（ステップＳ８２０〜ステップＳ８６０）。
ここで「特定の認識表示」とは、被測定者が五感の何れかで認識することができるものを示すものとする。
【００６０】
より具体的には、図１０、図１１に示すように、測定される握力値が設定値に対して何％の到達度であるかを示す棒グラフ部３２３ａに表示される棒グラフが、到達度２０％である場合には、「電話のベル」の音が鳴ると共に、「電話のマーク」が特定表示部３２４に表示される（ステップＳ８２０）。また４０％である場合には、「鳥の鳴き声」の音が鳴ると共に、「鳥のキャラクター」が特定表示部３２４に表示される（ステップＳ８３０）。また到達度６０％である場合には、「馬の鳴き声」の音が鳴ると共に、「馬のキャラクター」が特定表示部３２４に表示される（ステップＳ８４０）。また到達度８０％である場合には「ゾウの鳴き声」の音が鳴ると共に、「ゾウのキャラクター」が特定表示部３２４に表示される（ステップＳ８５０）。
なお図１１では、到達度が８０％であり、「ゾウの鳴き声」の音が鳴ると共に、特定表示部３２４に「ゾウのキャラクター」が表示された場合を示す。
【００６１】
このように演算制御手段２００で演算、制御された握力値が予め設定された握力値以上である場合に特定の認識表示の出力を表示部３１０に対して行う構成とすることで、被測定者の握力測定意欲を向上させることができる。特に小児の興味を惹くことができ、握力測定意欲を高めることができる。
【００６２】
なお本実施形態においては、測定される握力値が設定値に対して何％の到達度であるかを示す棒グラフ部３２３ａに表示される棒グラフを特定の認識表示の出力と関連づける構成としたが、必ずしもこのような構成に限るものではなく、演算制御手段２００で演算、制御された握力値が予め設定された握力値以上である場合に特定の認識表示の出力を表示部３２０に対して行う構成であれば如何なる構成であってもよい。
【００６３】
また握力計１００を構成する凸部１１１ａ、配線収納部１１１ｄ、配線引き出し溝１１１ｅ、貫通孔１１１ｇ、窪み１１１ｈ、ねじ１２２ａ、留め金具１２２ｂ、歪みゲージ１３０の形状、大きさ、数、配置位置等や表示部３２０の画面構成は本実施形態のものに限るものではなく、適宜変更可能である。
【産業上の利用可能性】
【００６４】
本発明は小児や高齢者等の弱握力者の握力を精度良く測定することができる握力測定装置として利用することができる。
【符号の説明】
【００６５】
１            握力測定装置
１００        握力計
１１０        グリップ部
１１１        上グリップ
１１１ａ      凸部
１１１ｂ      取り付け着座部
１１１ｃ      内壁
１１１ｄ      配線収納部
１１１ｅ      配線引き出し溝
１１１ｆ      端面
１１１ｇ      貫通孔
１１１ｈ      窪み
１１２        下グリップ
１２０        連結部
１２１        弾性体
１２１ａ      左弾性体
１２１ｂ      右弾性体
１２１ｃ      貫通孔
１２１ｄ      着座面
１２２        連結具
１２２ａ      ねじ
１２２ｂ      留め金具
１３０        歪みゲージ
１３０ａ      左内歪みゲージ
１３０ｂ      左外歪みゲージ
１３０ｃ      右内歪みゲージ
１３０ｄ      右外歪みゲージ
２００        演算制御手段
２１０        ブリッジ回路
２２０        増幅器
２３０        Ａ／Ｄ変換器
２４０        中央処理部
２５０        設定器
２６０        表示パネル
２７０        メモリ
３００        表示手段
３１０        制御部
３２０        表示部
３２１        通信スタートボタン
３２２        受信カウント部
３２３        握力値表示部
３２３ａ      棒グラフ部
３２４        特定表示部
３３０        入力部
４００        配線
５００        電源
６００        ケーブル
【図１】
2011104107.tif 000003
【図２】
2011104107.tif 000004
【図３】
2011104107.tif 000005
【図４】
2011104107.tif 000006
【図５】
2011104107.tif 000007
【図６】
2011104107.tif 000008
【図７】
2011104107.tif 000009
【図８】
2011104107.tif 000010
【図９】
2011104107.tif 000011
【図１０】
2011104107.tif 000012
【図１１】
2011104107.tif 000013